(57)【要約】【課題】１つの従来の腕時計または他の腕に取り付ける計器を見せる手段を備えた１つの長袖シャツまたは類似の衣服のための１つのカフスを提供する。【解決手段】１つのシャツカフスは、１つの腕時計が１つの操作しやすい表示位置に着用されているとき、腕時計を見たりアクセスしたりできる１つの窓を備えている１つの切り抜き開口部を有している。１つのバレルカフスの好ましい実施形態において、１つのしなやかな布地フラップがカフスに取り付けられ表示窓の下に配置されることにより、表示窓内の腕時計本体を支持するための１つのサドルが提供されている。１つのフレンチカフスの好ましい実施形態において、１つの外側カフス層は、１つの切り抜き開口部がついており、１つの表示窓が形成されて１つの腕時計を見ることができ、１つの内側カフス層は表示窓に位置合わせされた腕時計本体を係合し支持している。【選択図】図１
2006002332.tif 000002
【特許請求の範囲】
【請求項１】
１つの切り抜き開口部がついている１つの布地バンドを含み、前記切り抜き開口部は１つの腕時計の前記表面を見せるための１つの表示窓を備えると同時に、前記腕時計は１つの操作しやすい表示位置に着用されていることを特徴とする１つのシャツカフス。
【請求項２】
請求項１に記載の１つのシャツカフスであって、前記布地バンドは１つのシャツ袖に取り付けるために適合された１つの終端部と、そろえると１つのシャツ袖の１つのバレルカフス伸長部を形成することができる第１および第２の複数の側面部分と、を含むことを特徴とする１つのシャツカフス。
【請求項３】
請求項１に記載の１つのシャツカフスであって、前記布地バンドは１つのシャツ袖に取り付けるために適合された１つの第１の周辺端部と、形を作ってそろえると１人の着用者の前記手首を取り囲む１つの第２の周辺端部と、を含み、前記第２の周辺端部は前記切り抜き開口部と交差していることを特徴とする１つのシャツカフス。
【請求項４】
請求項１に記載の１つのシャツカフスであって、前記布地バンドは、折り畳んでそろえると１つのフレンチカフス伸長部の重なった内側および外側の複数の層を形成して１つのシャツ袖に取り付けることができ、前記外側層は前記切り抜き開口部がついていることを特徴とする１つのシャツカフス。
【請求項５】
請求項１に記載の１つのシャツカフスであって、前記布地バンドは１つの中間の折り畳み線から折り返し１つのフレンチカフス伸長部の重なった内側および外側の複数の層を形成して１つのシャツ袖に取り付けることができ、前記切り抜き開口部は前記折り畳み線によって少なくとも部分的に区切られていることを特徴とする１つのシャツカフス。
【請求項６】
請求項１に記載の１つのシャツカフスであって、前記カフスは、１つの腕時計が１つの操作しやすい表示位置に着用されている限りは前記腕時計を見ることができる１つの開口部の前記境界線を定義するよう輪郭がついている１つの周辺端部を有し、前記カフスは、前記カフスの下に配置されたバンドまたはストラップ取り付け手段の１つの実質的な部分を隠している１つの覆っている部分を有していることを特徴とする１つのシャツカフス。
【請求項７】
請求項１に記載の１つのシャツカフスであって、１つのフラップは、前記カフスに取り付けられ、前記表示窓の下に配置されており、前記フラップは、１つの腕時計が前記操作しやすい表示位置に着用されている限りは前記腕時計のための支持を提供していることを特徴とする１つのシャツカフス。
【請求項８】
請求項７に記載の１つのシャツカフスであって、前記フラップは、１つの直線端部によって片側に境界がつけられている布地材料の１つの長方形の布切れを含み、前記直線端部は前記遠位の端部と位置合わせされた状態で前記バンドに取り付けられていることを特徴とする１つのシャツカフス。
【請求項９】
請求項１に記載の１つのシャツカフスであって、前記布地バンドは、１つのシャツ袖に取り付けるために適合された１つの第１の周辺端部と、１つのバレルカフスエクステンションの終端部を形成している１つの第２の周辺端部と、を特徴とし、前記切り抜き開口部は前記第２の周辺端部によって片側に境界がつけられていることを特徴とする１つのシャツカフス。
【請求項１０】
請求項１に記載の１つのシャツカフスであって、前記布地バンドは、１つのシャツ袖に取り付けるために適合された１つの第１の周辺端部と、１つのバレルカフスエクステンションの終端部を形成している１つの第２の周辺端部と、を含み、１つの腕時計支持フラップは前記第２の周辺端部に沿って前記バンドに取り付けられていることを特徴とする１つのシャツカフス。
【請求項１１】
請求項１に記載の１つのシャツカフスであって、前記カフスは、前記カフスの１つの遠位の終端を定義している１つの直線端部および前記窓開口部を定義している１つの湾曲した端部によって区切られていることを特徴とする１つのシャツカフス。
【請求項１２】
請求項１に記載の１つのシャツカフスであって、１つのサドルフラップは、前記窓開口部全体にわたって延在し、前記サドルフラップは、前記腕時計が前記手首にゆるい状態で付随し、できる限り快適に確実に着用されるように１つの腕時計のための支持を提供すると同時に、前記手首と腕時計本体との間に１つの換気通路を設け前記腕時計本体への熱伝達を防いでいることを特徴とする１つのシャツカフス。
【請求項１３】
請求項１に記載の１つのシャツカフスであって、１つのサドルフラップは、前記窓開口部全体にわたって延在し、前記サドルフラップは前記着用者の手首と、前記操作しやすい表示位置に配置された１つの腕時計の本体と、の間に挿入された１つの仕切り層を提供していることを特徴とする１つのシャツカフス。
【請求項１４】
請求項１３に記載の１つのシャツカフスであって、前記サドルフラップは、前記カフスと付随的に相関して前記カフスに取り付けられていることを特徴とする１つのシャツカフス。
【請求項１５】
請求項１３に記載の１つのシャツカフスであって、前記サドルフラップは、１つの直線端部で１つの第１の側を区切られ、１つの第２の側を１つの遠位の終端部で区切られている布地材料の１つの長方形の布きれを含み、前記直線端部は前記遠位の終端部と位置合わせされた状態で前記カフスに取り付けられていることを特徴とする１つのシャツカフス。
【請求項１６】
請求項１３に記載の１つのシャツカフスであって、前記サドルフラップは２重になった布地材料の１つの布切れを含むことを特徴とする１つのシャツカフス。
【請求項１７】
請求項１３に記載の１つのシャツカフスであって、前記サドルフラップは、１センチメートル当り約３１．５本の複数の糸（１インチ当り約８０本の複数の糸）から１センチメートル当り約８６．６本の複数の糸（１インチ当り約２２０本の複数の糸）の範囲内の単位インチ当りの複数のヤーン糸の１つの総数を有する１つの２重織り布地材料を含むことを特徴とする１つのシャツカフス。
【請求項１８】
請求項１３に記載の１つのシャツカフスであって、前記サドルフラップは１００パーセント木綿ヤーンを含むことを特徴とする１つのシャツカフス。
【請求項１９】
請求項１に記載の１つのシャツカフスであって、前記シャツカフスは、１つの腕時計への発汗湿気の直接伝達を妨げ、前記着用者の手首に対して前記腕時計本体を直接接触させることなく１つの腕時計を前記操作しやすい表示位置に着用することができるように、前記カフスに取り付けられ前記表示窓の下に配置されている湿気吸収性材料の１つのフラップを含むことを特徴とする１つのシャツカフス。
【請求項２０】
請求項１に記載の１つのシャツカフスであって、１つのサドルフラップは、前記カフスに対して下に部分的に重ねた状態で前記表示窓の下に配置され、前記サドルフラップは、前記操作しやすい表示位置に着用された１つの腕時計に対して下からの支持を提供し、伸縮バンドまたはストラップ係合の複数の力を前記手首の１つの実質的な部分のまわりにある程度均等に分散させていることを特徴とする１つのシャツカフス。
腕時計カフス。
【発明の詳細な説明】
【技術分野】
【０００１】
本発明は一般に衣服に関し、特にカフスを引っ込めることなく腕時計を都合よく見ることができるように１つの従来の腕時計を保持し見せるための複数の手段を有する１つのシャツカフスに関する。
【背景技術】
【０００２】
今日知られているようにシャツは実のところ、上着の下の１つの保護層として着用された１つのやわらかいチュニックの形をした１つの下着としてはじまった。首の上部に延在する１つのカラーおよび複数の手首を覆う複数のカフスをともなって、シャツは粗い毛織物衣類からの刺激に対する１つの防護措置であった。
【０００３】
いくつかの形のシャツの複数の袖カフスは歴史全体を通して存在してきたらしいが、それら複数のファッションの起源は、１つの保護的な袖伸長部またはよろいのカフスが複数のチュニック袖の上に縫い付けられた初期の複数の軍服のスタイルに発しているといわれている。その短いカフスには、１つの防護手段として、前腕と手を覆う１つの重い革手袋（こて）との間で露出する手首の部分を保護する目的があった。
【０００４】
よろいおよび他の防護服は廃れたので、軍服が進化して、短いよろいカフスは、シャツ袖の１つの折り返された部分、または、袖の１つの分離した縫い付け布地伸長部に取って代わられた。軍隊の複数の服装スタイルには洗練された衣服に対するすべての複数の本質的要素を含む基準が絶えず設定されたので、この布地カフスの仕組みはすぐに一般市民の複数のシャツデザインに模倣された。結局、シャツの露出したカラーおよびカフスの複数の部分は、人の富と社会的地位を示す装飾とおしゃれの両方として見られ始めた。
【０００５】
今日では、現代的カフスは、外套の袖と手との間の１つのリネンのバンドとして故意に視覚化されており、身なりのきちんとした男性にふさわしい１つの服装態度となっている。
【０００６】
１つのテイラードスーツジャケットとシャツの組み合わせにおいて、ジャケットの袖は手首と手の付け根まで延在する必要がある。
【０００７】
男性衣服に対する複数の現代的基準によれば、この長さとしては、シャツカフスの約１／２インチを見せる必要がある。袖と手との間のリネンのバンドは、ジャケットカラーの上部と同様に、洗練された着こなしのいい人を定義する複数の細目の１つである。
【０００８】
複数のカフスは、今や２つの基本的な複数の形式、バレルカフス伸長部およびフレンチカフス伸長部の形で売られている。バレルカフスは１つまたは２つの複数のボタンで留め、一方のフレンチカフスは折り返して１つのカフスリンクで合わせて保持する。複数のテイラードスーツジャケットと複数のシャツに加えて、腕時計は１つの標準的なファッションアクセサリーとなっている。これは、腕時計クロノメーターが単なる１つの実用的な機能以上のものを備えているという事実のせいである。
【０００９】
能力と能率の象徴として懐中時計に取って代わった腕時計もまた１つのファッション哲学と１つの地位の象徴となっている。このことは男性にも女性にも当てはまるが、あまり装身具を身に付けない男性にとって、腕時計は恐らくより大きな効果をもつものであろう。同じように、適正にフィットしたシャツの複数のカフスと複数のカラーは重要な複数のファッション指標となっている。１つの洗練された腕時計を着用することは、一人の男性が自分の複数の価値と社会的地位を知らせることができる巧妙な複数の方法の１つである。
【００１０】
カフスと腕時計はともに手首を取り囲んでおり、したがって、競って注意が引かれ、腕時計の時間を見たり複数の機能を操作したりするとき１つの明確な表示とアクセスを得るためにカフスを引っ込めることが必要になる。
【００１１】
複数のファッション時計のほかに、複数の人にとっては、複数の多機能腕時計、複数のワイヤレス通信ユニット、複数の計算機、複数の心拍数モニター、およびすみやかにアクセスして表示と操作をする必要がある類似の物のような腕に取り付ける複数の機器を着用することが普通になっている。
【００１２】
したがって、さまざまな腕に取り付ける複数の機器ならびに複数のファッション時計に対する実用とファッションの競合する複数の要求を満足させる１つの衣類カフスの提供に１つの継続的な関心がある。
【００１３】
特定の関心事としては、１つの腕時計または他の腕に取り付ける計器に対する表示およびアクセスの複数の要求に対応して、時計または計器の指示面を見せる１つのシャツカフスの必要性があり、そのようなシャツカフスがあれば、男性用および女性用の両ファッション衣類のために、シャツカフスによって覆い隠されることなく、その上テイラードカフスの見栄えを保ちながら、いつでも容易に時計または計器を見たりアクセスしたりすることが可能になる。
【００１４】
従来の複数の腕時計および腕に取り付ける複数の計器は、手首に対して直接皮膚接触して着用されるので、摩擦接触、発汗湿気、および体熱にさらされる。
【００１５】
発汗に存在する腐食性の塩化合物は、腕時計本体を腐食させ腕時計の駆動部分または計器の中に浸透した場合、作動が損なわれて早期の故障につながる可能性がある。発汗湿気がベゼル溝の中に浸透すると、文字盤の変色が起こり、湿気の１つの薄膜が発生してクリスタルガラスの下側に堆積し、したがって、見にくくなる可能性がある。
【００１６】
その上、使用者の発汗は腕に取り付ける計器の金属体または仕上げ面と反応する可能性があり、したがって、１つの酸化合物が作り出され、敏感な肌が刺激されて１つのアレルギー性反応が起きるおそれがある。
【００１７】
酸化合物もまた腕時計本体および複数の連結ストラップの仕上げ面を腐食させる可能性があり、したがって、それらの見栄えは色あせてそれらの実際の価値を低下させるおそれがある。
【発明の開示】
【発明が解決しようとする課題】
【００１８】
したがって、腕時計への発汗湿気の直接伝達を防ぎ、１つの腕時計または他の腕に取り付ける計器を手首にゆるい状態で付随させることができ、腕時計本体を着用者の手首に直接接触させることなく、できる限り快適に確実に着用することができる１つのシャツカフスの提供に１つの継続的な関心がある。
【００１９】
１つの従来の腕時計または腕に取り付ける計器は、複数の革製ストラップまたは１つの弾力のある伸縮バンドによって手首の上に固定され、腕時計本体は手首にきつく保持されるので、腕時計本体に直接面している手首の肌に対して直接接触している状態の圧縮力が集中する。
【００２０】
圧縮力が集中するとすりむけおよび皮膚表面近くの複数の血管および複数の毛細血管を通る正常な血流の低下が引き起こされる可能性があり、その結果いくつかの不快感、および、完全な手首の動作および柔軟性の低下、その上複数のボタンおよび複数のつまみの操作に対するアクセスに支障をきたすことになる。それゆえ、伸縮バンドまたはストラップ係合の複数の力を手首の１つの実質的な部分のまわりにある程度均等に分散させて従来のストラップおよび複数のバンド機構により加えられる集中した複数の係合力の複数の締め付け作用を避ける、１つのシャツカフスの提供に１つの継続的な関心がある。
【００２１】
１つの腕時計または他の腕に取り付ける計器を手首にゆるい状態で付随させ１つの好ましい表示位置から回転したりすべったりすることなくできる限り快適に確実に着用することができる、１つのシャツカフスの提供にも１つの関心がある。
【００２２】
１つの腕時計または他の腕に取り付ける計器を手首にゆるい状態で付随させ手首および腕時計本体間に１つの換気通路を設けて腕時計本体への熱伝達を防ぎ腕時計本体への発汗湿気の伝達を防ぐと同時に、できる限り快適に確実に着用することができる、１つのシャツカフスの提供にさらに１つの関心がある。
【００２３】
１つの腕時計の本体または他の腕に取り付ける計器を手首に直接接触させることなく着用することができ、通常の組み付けおよび取り外しに支障をきたすことなく、従来の弾力のある複数のバンドまた複数のストラップを用いてしっかり固定することができ、それにより腕時計を都合よく意のままに簡単に手首の周りに固定したり手首から取り外したりすることができる、１つのシャツカフスの提供にも１つの関心がある。
【００２４】
本発明は、１つの従来の腕時計または他の腕に取り付ける計器を見せる手段を備えた１つの長袖シャツまたは類似の衣服のための１つのカフスを提供する。
【課題を解決するための手段】
【００２５】
１つの第１の好ましい実施形態において、腕時計カフスは１つの表示窓を形成する１つの切り抜き開口部がついている１つの布地バンドを含み、腕時計が通常の表示位置で手首に着用されているとき、その表示窓を通して１つの従来の腕時計の本体を見たりアクセスしたりすることができる。
【００２６】
腕時計バンドを１つの従来のストラップまたは伸縮バンドによって通常の方法で使用者の手首の周りに固定した後、テイラードカフスの見栄えを保つと同時に、シャツカフスによって覆い隠されることなく、腕時計の面はいつでも表示窓を通して簡単に見たりアクセスしたりすることができることになる。
【００２７】
１つの第２の好ましい実施形態において、腕時計カフスは１つの表示窓を形成する１つの切り抜き開口部がついている１つの布地バンドを含み、その表示窓を通して１つの従来の腕時計の本体を見たりアクセスしたりすることができる。
【００２８】
１つのしなやかな布地のフラップがバンドの上に取り付けられて、表示窓の下に折り畳まれており、それによって、腕時計本体を表示窓を通して見ることができる１つの位置に腕時計本体を係合し支持するための１つのサドルが提供される。
【００２９】
サドルフラップは、腕時計に発汗湿気の直接伝達を防ぎ、１つの腕時計または他の腕に取り付ける計器を手首にゆるい状態で付随させて着用者の手首に対して腕時計本体による直接接触を防ぐと同時に、できる限り快適に確実に着用させることができる。
【００３０】
本発明のまだ１つのさらなる好ましい実施形態において、腕時計カフスは、折り畳んで１つのフレンチスタイルカフスの内側および外側の複数の層を形成することができる１つの布地バンド部分を含む１つのカフスにより提供される。
【００３１】
バンドの外側層は、１つの従来の腕時計の本体を見たりアクセスしたりすることができる１つの表示窓を提供する１つの切り抜き開口部がついている。フレンチカフスの内側層は、表示窓に位置合わせされた腕時計本体を係合し支持するための１つのサドルとしての役割を果たしている。
【発明の効果】
【００３２】
この好ましい実施形態において、１つの伸縮バンドまたはストラップ係合によって加えられる複数の力は、手首の１つの実質的な部分の周りでカフスを介してある程度均等に分散されている。
【発明を実施するための最良の形態】
【００３３】
本発明の複数の好ましい実施形態を、単なる実施例として、本明細書に添付の複数の図面に関連して説明する。
【００３４】
本発明をどのように最良に作り使用することができるかのさまざまな複数の事例に関連して、本発明の複数の好ましい実施形態をここに説明する。
【００３５】
図面の説明およびいくつかの複数の図の全体を通して、類似の複数の参照番号を使用して類似のまたは対応する複数の部分を指示する。
【００３６】
図１および図４を説明する。１つの従来の腕時計１２または他の腕に取り付ける計器を見せる手段を有する１つの腕時計カフス１０は、１つの長袖シャツまたは類似の衣服、たとえば、１つの男性用ドレスシャツの１つの袖１４上の１つのバレルカフス伸長部として取り付けられている。腕時計カフス１０は、１つの従来のストラップ１６または伸縮バンドを有する１つの腕時計１２に対応して、腕時計を一人の着用者の手首上の１つの操作しやすい表示位置に保持している。
【００３７】
腕時計カフス１０には、１つの表示窓２２を形成している１つの切り抜き開口部２０がついており、腕時計を通常の操作しやすい表示位置で手首上に着用しているとき、その表示窓を通して１つの腕時計または他の腕に取り付けられる計器の本体２４および表面２６を見たりアクセスしたりすることができる。
【００３８】
カフスバンド１８は、一端をカフスの１つの近位の端部を定義している１つの直線端部２８によって区切られ、他端をカフスの１つの遠位の端部を定義している１つの直線端部３０によって区切られている。近位の端部２８は、従来の縫い目３２によってシャツ袖に取り付けられ、したがって、袖の１つのバレル伸長部を形成している。遠位端の直線端部３０は、表示窓２２の輪郭を定義するために輪郭を示している１つの内方へ向いた湾曲している切り取り線３４と交差している。
【００３９】
「操作しやすい表示位置」を図１に示す。
【００４０】
図１で使われているように、「操作しやすい表示位置」とは腕時計本体２４の位置を意味しており、その位置において腕時計本体は、手首と手の付け根のすぐ近くに複数のストラップ１６または１つの伸縮バンドによって保持されており、腕時計の表面２６は手首と手の上面にある窓２２を通して見えるように提示されている。腕時計１２は、１つの従来のストラップ、留め金、または伸縮バンドの形状をしている保持手段１６による普通の方法で使用者の手首の周りに固定されている。腕時計の表面２６は、いつでも表示窓２２を通して簡単に見たりアクセスしたりすることができ、カフスバンド１８によって覆い隠されることはないと同時に、テイラードカフスの見栄えは維持されるであろう。
【００４１】
図３について説明する。カフスバンド１８は第１および第２の複数の側面部分３６，３８を有しており、それらの部分を丸めて巻くことによりシャツ袖の１つのバレルカフス伸長部を形成することができる。
【００４２】
複数の側面部分は、図４および図５に示されるように、従来のボタン４０とボタン穴４２の１つの組み合わせによっていっしょに固定される。カフスバンド１８は、１つのやわらかい２重になっている布地材料、たとえば、木綿織りヤーンで形成され、一人の着用者の手首を取り囲むように形づくられるのが望ましい。
【００４３】
切り抜き開口部２０は、遠位の端部を切り分けて湾曲した切り取り線４２に沿って内向きに延在し、それにより表示窓２２の内側境界線が定義されている。
【００４４】
表示窓は、腕時計本体２２に対して少し大ぶりになっているので、腕時計を操作しやすい表示位置に着用している限り見ることができるように腕時計の表面２６は完全に露出される。この配置によれば、取り付けストラップ１６のほんの１つの小さい部分が露出して見えるが、ストラップの大部分はカフスバンド１８の下に隠れている。
【００４５】
好ましい実施形態の１つの局面によれば、１つの柔軟性のあるフラップ４４がカフスバンド１８に取り付けられ、図２、図３、および、図４に示されるように、表示窓２２の下に折り畳まれているので、このフラップは操作しやすい表示位置に腕時計本体２４を係合し支持するための１つのサドルを提供している。
【００４６】
サドルフラップ４４は、１つの腕時計または他の腕に取り付ける計器を手首にゆるい状態で付随させることができ、腕時計本体２４を着用者の手首に対して接触している状態にすることを防ぐと同時に、できる限り快適に確実に着用することができる。すなわち、サドルフラップ４４は、腕時計と着用者の手首との間の直接接触を防ぐ１つのやわらかい仕切り層を提供する。
【００４７】
サドルフラップ４４は、１センチメートル当り約３１．５本の複数の糸（１インチ当り約８０本の複数の糸）から１センチメートル当り約８６．６本の複数の糸（１インチ当り約２２０本の複数の糸）の範囲内の単位センチメートル当りの複数のヤーン糸の１つの総数を有する１つの１００パーセント木綿織りヤーン、２重になった１つの布きれから切り取られるのが望ましい。
【００４８】
図３、図６、および、図７を説明する。サドルフラップ４４は、
【００４９】
カフスバンド１８と付随的に相関して移動可能に連結されており、１つの腕時計本体をサドルフラップの上に置き、窓開口部２０内に表示位置合わせして配置することができる。サドルフラップ４４は、１つの直線側端部４６によって少なくとも片側に境界がつけられている２重になった布地材料の１つの長方形布きれであるのが望ましい。
【００５０】
図６の平面図に示されるように、サドルフラップは、カフスバンド１８に移動可能に連結され、直線端部および窓開口部から遠く離れて延在させることにより、腕時計の最初の位置付けをすることができる。
【００５１】
腕時計を表示窓２２に位置合わせし操作しやすい表示位置に位置付けした後、サドルフラップ４４を、図３に示されるように、腕時計本体２４およびカフスバンドに対して真下になるように下に折り畳む。サドルフラップは、カフスの遠位の端部３０と位置合わせされた状態で、サドルフラップの直線側端４６に沿ったカフスバンド上の縫い目４８によって取り付けられている。
【００５２】
さらに、図２および図４について説明する。サドルフラップ４４は、腕時計本体２４に対して下からの支持部に配置され、表示窓２２全体にわたりかつ手首周りの約半分をぐるりと取り囲んで延在している。この配置によれば、サドルフラップ４４は、手首と腕時計本体２４との中間に位置付けられ、したがって、手首からの発汗湿気の腕時計本体への直接伝達が妨げられる。
【００５３】
サドルフラップ４４の周りに腕時計がゆるやかに装着されるために、１つの小さな換気通路５０が手首と腕時計本体との間に形成され、腕時計本体への熱伝達が防がれ、手首に対する腕時計本体の摩擦接触が防がれる。
【００５４】
その上、伸縮バンドまたはストラップ係合により加えられる複数の圧縮力は、血行を締め付けることなくサドルフラップを介してある程度均等に分散される。
【００５５】
腕時計１２が手首の周りにゆったりと固定されており、表示窓２２内での腕時計の位置は、湾曲した切り抜き境界線３４に沿って定義された２重になっている周辺の複数の側部、および、サドルフラップ４４に対する腕時計本体２４の係合により安定しているので、手首周りの血行を締め付けることなく、腕時計が操作しやすい表示位置から回転したりすべったりすることなく、腕時計を着用することができる。
【００５６】
図８に示すように、本発明の１つの別の好ましい実施形態によれば、１つの腕時計カフス６０は、折り畳んで１つのフレンチスタイルカフスの内側および外側の複数の層６４、６６を形成することができる１つの布バンド６２を提供する。
【００５７】
バンドの外側の層６６は、１つの窓開口部６８を定義している１つの切り抜き線６７に沿って切り分けられており、その窓開口部６８を通して１つの従来の腕時計を見たりアクセスしたりすることができる。フレンチカフスの内側層６４は、切り抜き窓開口部６８に位置合わせされた１つの腕時計本体を係合し支持するための１つのサドルとしての役目を果たしており、したがって、使いやすい表示とアクセスを提供している。
【００５８】
この好ましい実施形態において、１つの伸縮バンドまたはストラップ係合により加えられる複数の力は、フレンチカフス内側層６４を介して実質的には均等に分散され、したがって、ストラップ係合の複数の力の複数の緊縮作用は防がれると同時に、着用者の手首に対する腕時計本体による直接接触も防がれる。布地バンド６２は、１つの中間折り畳み線７０から折り返し、フレンチカフス伸長部の重なり合った内側および外側の複数の層を形成している。
【００５９】
切り抜き窓開口部６８は、折り畳み線によって少なくとも部分的に区切られている。内側カフス層６４は、縫い目７４によってシャツ袖１４上に取り付けられている１つの周辺端部７２を有する。
【００６０】
１つの腕時計１２が表示窓６８に位置合わせされて内側カフス層上に位置付けされた後、外側カフス層６６は、図８に示されるように、その上に折り返される。腕時計１２は、弾力のある複数の側面留め金を用いて固定され、重なり合っている複数の層の間に保持されている。
【００６１】
表示窓６８の枠内にはめられた腕時計本体２４は、重なり合ったフレンチカフスの複数の層６４、６６によって複数の腕時計留め金に対して加えられる摩擦性締め付け係合によって操作しやすい表示位置に固定されている。フレンチカフスバンド６２は、１００パーセント木綿織りヤーンの１つの布きれから切り取り折り返して丸めて１人の着用者の手首を取り囲むのが望ましい。
【００６２】
カフスバンドの複数の側端部分６４Ａ、６４Ｂ、および、６６Ａ、６６Ｂは、内側カフス層６４に形成された複数のボタン穴８６、８８に位置合わせされて調整されている外側カフス層６６に形成された複数のボタン穴を通して１つのカフスリンク８０を係合することによって、手首の周りにそろえられいっしょに固定されている。
【００６３】
外側カフス層６６は、折り畳まれた位置で周辺端７２にほぼ位置が合った状態になって、内側カフス層６４に重なっている１つの周辺端部９０を有する。
【図面の簡単な説明】
【００６４】
【図１】本発明の１つの好ましい実施形態によって構築された１つの腕時計カフスの斜視図である。
【図２】図５の線２−２に沿って切った１つの断面図である。
【図３】１つのシャツ袖に取り付ける以前の状態を示した図１の腕時計カフスの１つの平面図である。
【図４】１つのバレルカフス伸長部の実施形態において、１つのシャツ袖に縫い付けられた腕時計カフスの１つの斜視図である。
【図５】１つの表示窓内に配置された１つの腕時計をともなった、図４に示された腕時計カフスおよび袖の１つの平面図である。
【図６】拡げられたサドルフラップをともなって示された、図１の腕時計カフスの１つの平面図である。
【図７】腕時計カフスおよび表示窓の下に折り畳まれたサドルフラップをともなって示された図１の腕時計カフスの１つの底面図である。
【図８】１つの別のフレンチカフス伸長部の好ましい実施形態の１つの斜視図である。
【図９】図８のフレンチカフスの１つの平面図である。
【図１】
2006002332.tif 000003
【図２】
2006002332.tif 000004
【図３】
2006002332.tif 000005
【図４】
2006002332.tif 000006
【図５】
2006002332.tif 000007
【図６】
2006002332.tif 000008
【図７】
2006002332.tif 000009
【図８】
2006002332.tif 000010
【図９】
2006002332.tif 000011